(57)【要約】【課題】スプリング成型機から次々に排出される屈曲スプリングが互いにからみ合わないように保持可能にする。【解決手段】スプリング成型機で成型された車両灯具固定用の複数の屈曲スプリングＡの整列支持具Ｂであって、無端状の線材に、屈曲スプリングＡの一対の肩部２、３を支持する平行線部６、７を設ける。【選択図】      図１
2004181469.tif 000002
【特許請求の範囲】
【請求項１】
スプリング成型機で成型された車両灯具に電球を固定する固定用屈曲スプリングを整列保持する屈曲スプリングの整列支持具であって、
無端状の線材を屈曲して、前記屈曲スプリングに形成されたの一対の屈曲肩部を支持する平行線部を形成し、該並行線部に前記屈曲肩部をスライドさせ順次保持させることを特徴とする屈曲スプリングの整列支持具。
【請求項２】
前記無端状線材の一端部が屈曲スプリングを導入して支持するスプリング導入部とされ、他端部が拡幅方向に折曲されて屈曲スプリングの抜け止めをするスプリング抜け止め部とされていることを特徴とする請求項１に記載の屈曲スプリングの整列支持具。
【発明の詳細な説明】
【０００１】
【発明の属する技術分野】
本発明は、車両灯具に電球を固定する固定用屈曲スプリングの整列支持具に係り、特に、スプリング成型機から連続的に排出される前記屈曲スプリングを順次整列支持する屈曲スプリングの整列支持具に関する。
【０００２】
【従来の技術】
車両灯具に電球を固定する固定用の屈曲スプリングは、車両灯具である電球をソケットなどにセットするために用いられ、例えば図４に示すような複雑な形状に屈曲された形態を作っている。この屈曲スプリングは、ばね性を持つ金属線をプレス成型によって折り曲げ加工したものからなり、略Ｖ字状に折り曲げられたＶ字状部１と、このＶ字状部１の各一端に略水平方向に連設されたＵ字状の肩部２および緩傾斜方向に連設された凹状の肩部３と、一方の肩部２端に垂下するように連設されたＬ字状垂下部４と、他方の肩部３端に斜め下方に垂下するように連設された「く」の字状垂下部５とから構成されている。なお、この種の屈曲スプリングは、車両用灯具やソケットの形状、寸法等に応じて種々の形態に形成されているものの、大概はばね性を持つ金属線をプレス成型機によって折り曲げ加工したものからなる。
【０００３】
【特許文献】
特開平４−１３７７３８号公報
【０００４】
【発明が解決しようとする課題】
しかしながら、このような従来の屈曲スプリングは前記のように金属線を複数箇所で折曲または屈曲させているため、これらがスプリング成型機で成型されかつ排出されて、収納容器に混然と収納された際に、各屈曲スプリングが折曲部などで互いにからみ合うこととなり、個々に取り出してメッキなどの後処理工程に送り込んだり、包装したり、梱包したり、納品したりするなどの各作業の能率が著しく悪くなるという不都合があった。
【０００５】
本発明はこのような従来の問題を解決するものであり、スプリング成型機から次々に排出される屈曲スプリングを定量ずつ整列して保持でき、これにより各屈曲スプリングが互いにからみ合うことなく、この保持状態にて、または順次一個ずつ取り出して、後工程に円滑にかつ迅速に送り出したり、運搬したり、収納管理したりすることができる屈曲スプリングの整列支持具を得ることを目的とする。
【０００６】
【課題を解決するための手段】
前記目的達成のために、請求項１の発明にかかる屈曲スプリングの整列支持具は、スプリング成型機で成型された車両灯具に電球を固定する固定用屈曲スプリングを整列保持する屈曲スプリングの整列支持具であって、無端状の線材を屈曲して、前記屈曲スプリングに形成されたの一対の屈曲肩部を支持する平行線部を形成し、該並行線部に前記屈曲肩部をスライドさせ順次保持させることを特徴とする。
請求項１によれば、屈曲スプリングの両肩が無端状線材の平行線部に支持されるため、両肩に連続する部位のＶ字状部や「く」の字状垂下部５などが重力により下方に整然と垂下し、互いに隣り合う屈曲スプリングどうしがからみ合うことがなく、従って、屈曲スプリングを無端状の線材上にひとまとめにして、または一個ずつ平行線部から離すようにして取り扱い、運搬、収納管理したりすることができる。
【０００７】
また、請求項２の発明にかかる屈曲スプリングの整列支持具は、前記無端状線材の一端部が屈曲スプリングを導入して支持するスプリング導入部とされ、他端部が拡幅方向に折曲されて屈曲スプリングの抜け止めをするスプリング抜け止め部とされていることを特徴とする。
請求項１によれば、スプリング成型機から次々に送り出される屈曲スプリングを、スプリング導入部からスムースに前記平行線部に摺動支持させるようにガイドでき、隣り合う屈曲スプリングどうしがからみ合うのを未然に防止できる。また、このとき整列支持された屈曲スプリングが平行線部から不用意に脱落しないように保持できる。
【０００８】
【発明の実施の形態】
以下に、本発明の実施の形態を図について説明する。
まず、図面を参照して、屈曲スプリングの一例を説明する。整列支持具に支持される前記屈曲スプリングＡは、車両灯具である電球のソケット等に対する固定に用いられ、車両灯具の型式に応じて種々の形態に、ばね性を持つ金属線のプレス加工によって、例えば図４に示すように成型されている。
【０００９】
そして、この屈曲スプリングＡは、金属線を屈曲して形成したＶ字状部１と、このＶ字状部１の両端にそれぞれ連設されて略水平方向にＵ字状および凹状に屈曲された肩部２、３と、肩部２端に連設されて下方に垂下形成されたＬ字状の垂下部４、他方の肩部３端に斜め下方に垂下するように形成された「く」の字状垂下部５とを有し、全体として弾性が付与されている。従って、この弾性を利用して、指操作により車両用灯具をソケットに対しワンタッチで装着および保持させることができる。なお、肩部２、３はそれぞれソケットへの装着上の関係から形状が異なっている。
【００１０】
一方、前記屈曲スプリングＡを整列状態で支持する整列支持具Ｂは、図１に示すように構成されている。この整列支持具Ｂは、スプリング成型機における屈曲スプリングＡの排出部に適合するような形状や大きさに形成され、例えばステンレスなどの金属線を無端状に成型したものからなる。
【００１１】
そして、この金属線からなる整列支持具Ｂは、互いに平行に対向する平行線部６、７と、これらの一端において屈曲スプリングＡを導入して支持するためのスプリング導入部８と、他端において拡幅方向へ突出するように折曲された屈曲スプリングＡのスプリング抜け止め部９とを有する。
【００１２】
また、このような構成になる整列支持具Ｂは、これのスプリング導入部８がスプリング成型機の屈曲スプリング排出用の排出口近傍に臨むように設置されている。従って、そのスプリング成型機によって成型されて連続的に排出される屈曲スプリングＡを、その整列支持具Ｂのスプリング導入部８側から、平行線部６、７に沿ってスプリング抜け止め部９側へ順次送り出すように機能する。このとき、各屈曲スプリングＡは、Ｖ字状部１の下端が肩部２、３に対してスプリング抜け止め部９側に位置することで、全体として傾斜状態で支持される。
【００１３】
この送り出しは、屈曲スプリングＡの肩部２、３がそれぞれ各平行線部６、７に図２に示すように支持されながら、かつ横振れすることなく滑るようにして順次行われる。なお、この屈曲スプリングＡの送り出し工程では、従来は、屈曲スプリングＡが整列支持具Ｂの平行線部６、７上において規定数に達したとき、例えば１００本に達したとき、スプリング成型機による前記送り出し動作を一時停止している。従って、この停止中にその屈曲スプリングＡを整列支持している整列支持具Ｂを取り外し、一方この停止中に別に用意した空（屈曲スプリングＡが未だ支持されていない）の整列支持具を、スプリング成型機の屈曲スプリング排出用の前記排出口に付け替え、再びスプリング成型機の作動を再開することで、次々に成型されて送り出される屈曲スプリングＡを新たな整列支持具上に前記同様に案内導入して支持させることができる。
【００１４】
しかし、この場合には、整列支持具Ｂの交換のたびに前記スプリング成型機を停止させる必要が生じ、この停止による時間のロスは屈曲スプリングＡの生産効率に大きく影響する。このため、本発明では、図３に示すように、スプリング成型機における屈曲スプリングの排出口に、矢印Ｐ方向に出入（昇降）自在のダムストッパ１０を配置する。これによって、スプリング成型機の排出口から連続的にＱ方向に排出される屈曲スプリングＡが、整列支持具Ｂ上において所定個数に達したとき、ダムストッパ１０で前記排出口端を塞ぐことで、必要以上の屈曲スプリングＡが整列支持具Ｂ上に案内されるのを阻止できる。
【００１５】
従って、スプリング成型機からその後も連続的に排出される屈曲スプリングＡは順次ダムストッパ１０でせき止められる。そこで、このダムストッパ１０による屈曲スプリングＡのせき止め中に、屈曲スプリングＡが収納された整列支持具Ｂを、別の空の整列支持具と交換する。そして、この整列支持具の交換を完了した後速やかにダムストッパ１０を排出口から移動させることで、このダムストッパ１０によってせき止められていた屈曲スプリングＡとともに、スプリング成型機の排出口から順次成型して送り出される屈曲スプリングＡを、交換した新たな整列支持具Ｂ上に速やかに案内しながら、前記同様に整列配置することができる。
【００１６】
また、このようにして整列支持具Ｂ上に支持された複数の屈曲スプリングＡは、その整列支持具Ｂに支持させた状態で自動搬送手段等によって熱処理室へ送り込まれ、熱処理された後、塗装処理などの各種処理を行い、さらに包装して商品として納品したり、販売したりすることができる。
【００１７】
さらに、屈曲スプリングＡは成型された後は、常時整列支持具Ｂに支持された状態で、熱処理その他の必要な処理が行われるため、屈曲スプリングＡどうしのからみ合いがなく、これらの取り扱いなどの作業が煩雑になることがなく、前記処理や搬送などを整然かつ速やかに実施できる。
【００１８】
【発明の効果】
以上のように、本発明によれば車両灯具固定用の複数の屈曲スプリングを支持する屈曲スプリングの整列支持具であって、無端状の線材に、前記屈曲スプリングの一対の肩部を支持する平行線部を設けたので、屈曲スプリングの両肩を無端状線材の平行線部に支持させたとき、両肩に連続する部位のＶ字状部などを重力により下方に整然と垂下させることができ、従って、互いに隣り合う屈曲スプリングどうしがからみ合うのを防止できる。また、屈曲スプリングをひとまとめにしてまたは一個ずつ平行線部から離すようにして、処理、運搬することができるという効果が得られる。
【００１９】
また、前記無端状線材の一端部を屈曲スプリングを導入して支持するスプリング導入部とし、他端部を拡幅方向に折曲されて屈曲スプリングの抜け止めをするスプリング抜け止め部としたことで、スプリング成型機から次々に送り出される屈曲スプリングをスプリング導入部から、スムースに前記平行線部に沿ってガイドでき、このときスプリング抜け止め部によって、屈曲スプリングが整列支持具から外れたり、不揃いになるのを防止できる。従って、隣り合う屈曲スプリングどおしが整列支持具上でからみ合うのを未然に防止でき、屈曲スプリングの取り扱い、運搬、収納管理などが容易になるという効果が得られる。
【図面の簡単な説明】
【図１】本発明の実施の一形態による屈曲スプリングの整列支持具を示す斜視図である。
【図２】図１の整列支持具による屈曲スプリングの支持構造を示すＸ−Ｘ線断面図である。
【図３】本発明の整列支持具に導入される屈曲スプリングとダムストッパとの関係を概念的に示す説明図である。
【図４】本発明および従来の屈曲スプリングを示す斜視図である。
【図５】図４に示す屈曲スプリング平面図である。
【符号の説明】
Ａ  屈曲スプリング
Ｂ  整列支持具
２、３  肩部
６、７  平行線部
８  スプリング導入部
９  スプリング抜け止め部
【図１】
2004181469.tif 000003
【図２】
2004181469.tif 000004
【図３】
2004181469.tif 000005
【図４】
2004181469.tif 000006
【図５】
2004181469.tif 000007